(57)【要約】      （修正有）【課題】アレルギー対策がなされており、かつ、可動部を任意の角度で止めることが可能なピアスを提供する。【解決手段】開閉式のピアスであって、一端が、ピアス本体の一端から延出した支柱３と一体的に形成された回動軸４を介して設けられ、他端に環状の支持部材７及び樹脂からなる環状部材８が設けられた可動部６と、一端が、可動部に設けられ、他端が回動軸を可動部に押しつけることで開閉角度を保持するように付勢するバネ部材１３と、ピアス本体の他端に設けられ環状部材及び支持部材の貫通孔５に挿入自在な樹脂からなる針状部材１２と、を備え、支持部材から可動部における耳と接触する部分まで軟性樹脂９で被覆した。【選択図】図１
0003183941.tif 000002
【実用新案登録請求の範囲】
【請求項１】
開閉式のピアスであって、
一端が、ピアス本体の一端から延出した支柱と一体的に形成された回動軸を介して設けられ、他端に環状の支持部材及び樹脂からなる環状部材が設けられた可動部と、
一端が、前記可動部に設けられ、他端が前記回動軸を前記可動部に押しつけることで開閉角度を保持するように付勢するバネ部材と、
前記ピアス本体の他端に設けられ前記環状部材及び前記支持部材の貫通孔に挿入自在な樹脂からなる針状部材と、を備え、
前記支持部材から前記可動部におけるユーザーの耳と接触する部分まで軟性樹脂で被覆したことを特徴とするピアス。
【請求項２】
前記軟性樹脂は、シリコーンであり、前記樹脂は、ポリカーボネートであることを特徴とする請求項１記載のピアス。
【考案の詳細な説明】
【技術分野】
【０００１】
本考案は、ピアスに関し、特に開閉式のピアスに関する。
【背景技術】
【０００２】
装身具の一種にピアスがある。ピアスには、主に耳たぶに形成された貫通孔にピアス本体の一端に設けられた針状部材を貫通させ、ピアス本体の他端に設けられた回動可能な部材で針状部材を保持するものがある（例えば、特許文献１参照。）。
特許文献１に記載の考案は、「ピアス装着部材とこれを用いたピアス」に関するものであり、具体的には、「Ｕ字状に湾曲した細線材の一端をさらに内側に延長して、上面を弾性条材で押圧され、この押圧部の下方に回動中心）を有する角型板を形成した係止部本体と、弾性条材を支持し角型板を軸支した支持部材を細線材の他端近傍に延長して他端部に係合する回動部材からなる」ものである。
【先行技術文献】
【特許文献】
【０００３】
【特許文献１】実用新案登録第３００７９９４号公報
【考案の概要】
【考案が解決しようとする課題】
【０００４】
しかしながら、上述した特許文献１に記載の考案は、Ｕ字状に湾曲した細線材については、材質が明確ではないが、金属が一般的であるため、ユーザーへの金属のアレルギー対応については考慮されていない。また、細線材の回動角度は９０度開いた位置だけ確実に止まるようになっており、他の角度で止めたい場合には対応できなかった。
【０００５】
そこで、本考案の目的は、アレルギー対策がなされており、かつ、可動部を任意の角度で止めることが可能なピアスを提供することにある。
【課題を解決するための手段】
【０００６】
かかる目的を達成するために、請求項１に係る考案は開閉式のピアスであって、一端が、ピアス本体の一端から延出した支柱と一体的に形成された回動軸を介して設けられ、他端に環状の支持部材及び樹脂からなる環状部材が設けられた可動部と、一端が、前記可動部に設けられ、他端が前記回動軸を前記可動部に押しつけることで開閉角度を保持するように付勢するバネ部材と、前記ピアス本体の他端に設けられ前記環状部材及び前記支持部材の貫通孔に挿入自在な樹脂からなる針状部材と、を備え、前記支持部材から前記可動部におけるユーザーの耳と接触する部分まで軟性樹脂で被覆したことを特徴とする。
【０００７】
請求項２に係る考案は、請求項１に係る考案において、前記軟性樹脂は、シリコーンであり、前記樹脂は、ポリカーボネートであることを特徴とする。
【考案の効果】
【０００８】
本考案によれば、アレルギー対策がなされており、かつ、可動部を任意の角度で止めることが可能なピアスの提供が可能となる。
【図面の簡単な説明】
【０００９】
【図１】（ａ）は、本考案の実施形態に係るピアスを拡げた状態を示す外観図であり、（ｂ）は、（ａ）に示したピアスを閉じた状態を示す外観図である。
【図２】（ａ）は、図１（ｂ）に示したピアスの可動部の近傍を示す図であり、（ｂ）は、（ａ）の断面図であり、（ｃ）は、図１（ｂ）の部分断面図である。
【図３】図１（ａ）に示したピアスをユーザーの耳に装着した状態を示す図である。
【考案を実施するための形態】
【００１０】
本実施形態について図面を参照して説明する。
＜構  成＞
図１（ａ）、（ｂ）に示すようにピアス１は一部が開閉自在なピアスであって、円弧形のピアス本体２の一端（図では左端）から延出するように支柱３が固定されている。支柱３の先端には回動軸４が一体的に形成されており、回動軸４は可動部６の回動中心に形成された貫通孔５に配置されている。回動軸４は後述する板状のバネ部材としての板バネ１３の一端に押しつけられている。可動部６の先端には環状の支持部材７が固定されている。支持部材７の貫通孔の内径は、支持部材７に取り付けられる軟性樹脂からなる環状部材８の周面に形成された溝の外径より大きく設定されている。支持部材７には環状部材８が支持部材７と同軸となるように取り付けられている。環状部材８の内径は可動部６が閉じる際に後述する針状部材１２が挿入自在な大きさに設定されている。
支持部材７から可動部６における耳と接触する部分まで軟性樹脂９で覆われている。
ピアス本体２の他端（この場合、右端）にはピアス本体２に固定された突起部１１を覆うように樹脂からなる針状部材１２が取り付けられている。
【００１１】
図２（ｂ）に示す板バネ１３の他端（図では左端）は可動部６の先端に固定されており、板バネ１３の一端（右端）は、支柱３に固定された回動軸４を押さえつけるように付勢している。可動部６の先端に固定された支持部材７は、中心軸が可動部６に対して傾斜しているのは、可動部６を閉じた時に針状部材１２の中心軸とほぼ一致するようにするためである。
【００１２】
ピアス本体２は、例えば、金属製の中空パイプであるが、中実であってもよい。支柱３、回動軸４、可動部６、支持部材７、及び突起部１１は金属からなり、これらの部材同士の固定には例えばロウ付けが挙げられる。金属としては、例えば、真鍮、合金等装飾用の材質が挙げられる。
軟性樹脂は、例えばシリコーンが挙げられ、樹脂は、ポリカーボネートが挙げられるが、他の種類の樹脂を用いてもよい。
【００１３】
＜作用効果＞
本実施形態のピアス１は、可動部６が開閉自在であり、ピアス本体２に対する可動部６の開閉状態、すなわち開き具合を保持できるようになっている。
このため、ピアス本体２の針状部材１２を耳たぶの貫通孔に差し込み、針状部材１２を環状部材８の貫通孔に通す際にユーザーの好みの位置で保持されるので、圧迫感が少ない。
また、ピアス１がユーザーの耳と接触する部分は樹脂もしくは軟性樹脂であるため、アレルギーのおそれがない。
【００１４】
以上において、本実施形態によれば、アレルギー対策がなされており、かつ、可動部を任意の角度で止めることが可能なピアスの提供が可能となる。
【００１５】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００１６】
１    ピアス
２    ピアス本体
３    支柱
４    回動軸
５、１０    貫通孔
６    可動部
７    支持部材
８    環状部材
９    軟性樹脂
１１    突起部
１２    針状部材
１３    板バネ
【図１】
0003183941.tif 000003
【図２】
0003183941.tif 000004
【図３】
0003183941.tif 000005